(57)【特許請求の範囲】
【請求項１】
ミラーキャビネット本体と、
照明ユニットと、
前記照明ユニットを発光させるための電源部と、
移動する鏡とを備え、
前記照明ユニットはＬＥＤ発光体で構成されるとともに、
前記電源部は前記ミラーキャビネット本体に前記照明ユニットと別体として設けられており、
前記照明ユニットは前記鏡と一体的に移動できるように、前記鏡と隣接して設けられていることを特徴としたミラーキャビネット。
【請求項２】
前記ミラーキャビネット本体と、前記鏡と、を接続する枠体を備え、
前記枠体は、垂直方向の第一の辺と、前記第一の対辺である第二の辺と、前記第一の辺と前記第二の辺を接続する横枠辺と、からなる４辺体であって、
前記枠体は前記第一の辺を前記ミラーキャビネット本体に水平方向回動自在に軸支され、
前記鏡は前記枠体の第二の辺に水平方向回動自在に軸支され、
前記照明ユニットに繋がった前記電源部から前記照明ユニットを発光させるための電力を供給する電源線は、前記横枠辺に沿って前記ミラーキャビネット本体に備え付けられた前記電源部に接続されたことを特徴とする請求項１のミラーキャビネット。
【請求項３】
前記照明ユニットは後方にも発光面を有することを特徴とする請求項２のミラーキャビネット。
【請求項４】
前記ミラーキャビネット本体と、前記鏡と、を接続する枠体を備え、
前記枠体は、上辺、下辺、左辺、右辺の４辺から構成された略四角形状であり、
前記左辺および前記右辺には一対のリンクが接続され、
前記一対のリンク機構により前記鏡は前後方向に移動可能に連結され、
前記鏡を前記枠体の前記左辺または前記右辺に水平方向回動自在に軸支し、
前記照明ユニットを前記枠体に備え付けたことを特徴する請求項１のミラーキャビネット。
【発明の詳細な説明】
【技術分野】
【０００１】
本発明は、ミラーキャビネットに係り、特に照明を有するミラーキャビネットに関する発明である。
【背景技術】
【０００２】
近年生活様式の変化から洗面化粧台でメイクアップやスキンケアをする女性が増え、そのため鏡を顔に接近させ、特定か所を間近にして詳細を見る使用する方法の要望が上がっている。そこで使用者が前かがみの不自然な姿勢を取らずに使用できるという目的で、浴室や洗面所に設置されるミラーキャビネットの鏡の方が使用者のいる前方側に移動し、鏡と使用者を接近させる機構を有した鏡が備え付けられたミラーキャビネットが提案されている。（例えば、特許文献参照。）
【０００３】
ところがミラーキャビネットに固定された照明を点灯させ鏡を手前まで寄せて詳細を見ようとしても前に出てきた鏡のために照明光が前に移動した鏡が邪魔になり被写体を十分に照らすことができないという不具合が生じていた。その不具合を解消するために鏡に照明を固定し、照明が鏡と一体的に移動するミラーキャビネットが提案されている。
【０００４】
この提案によれば、照明と一体的に鏡が手前に移動し使用者側に近づくので照明の影ができることなく被写体の詳細が見られる。
しかし、鏡を手前側に移動させる機構部は、鏡の重量以外に照明も同時に移動させなければならず、剛性を高める必要があり、また照明自体もサイズが大きく見栄えの良いものではなかった。
【０００５】
また、照明自体の小型軽量化を図る場合であっても、従来の蛍光管、白熱球などを光源とした場合、必要照度を確保したり、可動することによる耐衝撃や耐振動の耐久性を確保しようとすると限界がある。
【特許文献１】特開２００５−２０５１６０号公報（第４頁、第１図）
【発明の概要】
【発明が解決しようとする課題】
【０００６】
本発明は、上記問題を解決するためになされたもので、本発明の課題は、ミラーキャビネットの可動する鏡と一体的に固定された照明であっても、可動の負荷がほとんど増えず小型軽量で使い勝手がよく、見栄えの良い照明を提供することにある。
【課題を解決するための手段】
【０００７】
上記目的を達成するために請求項１記載の発明によれば、ミラーキャビネット本体と、照明ユニットと、前記照明ユニットを発光させるための電源部と、移動する鏡とを備え、前記照明ユニットはＬＥＤ発光体で構成されるとともに、前記電源部は前記ミラーキャビネット本体に前記照明ユニットと別体として設けられており、前記照明ユニットは前記鏡と一体的に移動できるように、前記鏡と隣接して設けられていることを特徴としたミラーキャビネットが提供される。
これにより、可動部分に設けられる照明を小型軽量にすることが可能となり、可動する鏡に照明を一体的に備え付けても可動作動の負荷をあげたり邪魔することもなく、また薄型化が実現できる。
【０００８】
請求項２記載の発明によれば、前記ミラーキャビネット本体と、前記鏡と、を接続する枠体を備え、前記枠体は、垂直方向の第一の辺と、前記第一の対辺である第二の辺と、前記第一の辺と前記第二の辺を接続する横枠辺と、からなる４辺体であって、前記枠体は前記第一の辺を前記ミラーキャビネット本体に水平方向回動自在に軸支され、前記鏡は前記枠体の第二の辺に水平方向回動自在に軸支され、前記照明ユニットに繋がった前記電源部から前記照明ユニットを発光させるための電力を供給する電源線は、前記横枠辺に沿って前記ミラーキャビネット本体に備え付けられた前記電源部に接続されたことを特徴とするミラーキャビネットが提供される。
これにより、キャビネット収納部を左右両開きとして構成しつつ、鏡を可動可能に構成した場合であっても、電源線が可動部に挟まって破損することがなく、使い勝手が改善される。
【０００９】
請求項３記載の発明によれば、前記照明ユニットは後方にも発光面を有することを特徴とするミラーキャビネットが提供される。
これにより、鏡を開き、キャビネット収納部に収納物を出し入れする際においても、照明ユニットの照射光が後方（キャビネット収納部方向）を照射するため収納物を明るく照らし収納物の取り損ないをなくしたり、収納物を確実に認識できる。
【００１０】
請求項４記載の発明によれば、ミラーキャビネット本体と、鏡と、枠体を備え、前記枠体は四辺を有し左右に一対のリンクで鏡面を、垂直を維持しつつ前記ミラーキャビネットと前後方向移動可能に連結され、前記枠体の左右一方の垂直辺に前記鏡を水平方向回動自在に軸支したミラーキャビネットにおいて、前記照明ユニットを前記枠体に備え付けたことを特徴するミラーキャビネットが提供される。
これにより、上記のような鏡を照明と一体的に手前に移動させることによる効果と同時に、鏡を手前に移動せず水平方向に回動させ収納部を開口させるときにおいては、照明はミラーキャビネット本体側にとどまることとなるため、収納部を明るく照らすことができるというメリットもある。
【発明の効果】
【００１１】
本発明によれば、使用者の顔などを詳細に写しだす目的で鏡が照明と一体的に使用者側に移動する鏡でも鏡移動の際に使用者への負荷が少なく、鏡に取り付ける照明本体の小型軽量化を実現できるため見栄えも改善できる。
【図面の簡単な説明】
【００１２】
【図１】本発明の第一の実施例であるミラーキャビネットの鏡が前方移動した状態を示す斜視図である。
【図２】本発明の第一の実施例であるミラーキャビネットの収納空間を開口した状態を示す斜視図である。
【図３】本発明の第一の実施例であるミラーキャビネットの鏡移動の仕組みを説明するため機構を横から見た図である。
【図４】本発明の第二の実施例であるミラーキャビネットの鏡が前方移動した状態を示す斜視図である。
【図５】本発明の第二の実施例であるミラーキャビネットの収納空間中央を開口した状態を示す斜視図である。
【発明を実施するための形態】
【００１３】
以下、本発明の好ましい実施の形態について、図面を参照しながら説明する。
図１に本発明の第一の実施例におけるミラーキャビネット１の斜視図を示す。ミラーキャビネット１は図示していない洗面ボウルを備えたキャビネット上方に取り付けられ、使用されるものである。
ミラーキャビネット１の全面には中央鏡２０と、その左右に袖鏡２１が備えつけられ、計三枚の鏡によって三面鏡が形成される。また、中央鏡２０と袖鏡２１の裏側にはそれぞれの幅に併せて収納空間１０が形成される。このとき、収納空間１０には収納したい物に併せてトレイ１２が取り付けられる。袖鏡２１はそれぞれ内側縦辺を回動軸にミラーキャビネット１に水平方向回動自在に連結され、袖鏡２１を回動することによりそれぞれの後方にある収納空間１０への開口部を開閉することができる。また袖鏡２１の開閉角度を変えることにより３面鏡として使用することもできるようになっている。図１においては、中央鏡２０が後述するリンク機構３０により収納開口部を塞ぐ納まり位置から前方移動した状態を示しているが、中央鏡２０及び袖鏡２１は収納空間１０への開口部を塞ぐ納まり位置では略面一となる。
【００１４】
中央鏡２０の構造・構成及び前方移動機構を図３により説明する。中央鏡２０は、左右一対のリンク機構３０に軸連結されたフレーム体３１の垂直辺水平方向回動自在に取り付けられている。
【００１５】
リンク機構３０を構成する回転リンク３２、スライドリンク３３はそれぞれの略中央で軸着される。回転リンク３２は、一端はフレーム体３１に、他端はキャビネット収納空間１０の側壁位置に垂直方向に回動自在に軸着される。一方スライドリンク３３は、一端がフレーム本体３１に上下方向スライド可能に連結され、他端はキャビネット収納空間１０の側壁位置で上下方向スライド可能に連結される。
【００１６】
フレーム３１の上辺で中央鏡上部には光源をＬＥＤとする照明ユニット４０が中央鏡２０の回動と干渉しないよう取り付けられている。照明ユニット４０には光源のＬＥＤに電力を供給するための電源線４１が繋がれ、電源線４１はリンク機構３０の回転リンク３２に沿って収納空間１０の内壁に形成された穴から収納空間１０の後方に備え付けられた電源４２に繋げられる。
【００１７】
この機構によりフレーム体３１に取り付けられた中央鏡２０は、収納空間１０の開口部を塞ぐ納まり位置から前方へ移動可能とされ、使用者の必要に応じて中央鏡２０を手前に引き寄せることができる。その時、フレーム体３１に取り付けられた発光体ユニット４０が中央鏡２０と一体となって前方に移動することとなる。これにより、使用者が手前に中央鏡２０を引き寄せた場合であっても、中央鏡２０が光を遮ることなく、使い勝手が向上する。
【００１８】
また、回転リンク３２、スライドリンク３３の軸着部分や、回転リンク３２のスライド部分に摩擦を生じさせたり、軸周りにブレーキ機能を付与させることによりフレーム体３１の前後方向任意位置で静止されることができる。また納まり位置でフレーム体３１を確実に保持するためにキャッチ機能やロック機能を付与することもできる。
【００１９】
図２は中央鏡の後方にある収納空間を開口した状態の斜視図である。
中央鏡２０は一方の縦軸をフレーム体３１に対して水平方向回動自在に軸着されている。また、フレーム体３１は中央部分を開口している。図２において、フレーム体３１は納まり位置にあるが、中央鏡２０はフレーム体３１に対し水平方向に回動しており、収納空間１０へアプローチ可能に開口している。
このとき、照明ユニット４０は中央鏡２０と一体的に移動せずにミラーキャビネット本体と隣接した枠体部分に残る。そのため、中央鏡前面を照らしている照射光が鏡と一体的に移動して後方の収納空間１０が影となり暗くて見づらいという問題を解決することになる。
【００２０】
本発明第二の実施例を図４、図５を用いて説明する。図４は本発明第二の実施例におけるミラーキャビネット１の斜視図である。中央鏡２５及び二枚の袖鏡２１により収納空間１０を塞ぐ納まり位置では各鏡が略面一となる３面鏡が形成される。
第一の実施例同様にミラーキャビネット１には前方が開口した収納空間１０が形成され、中央鏡２５及び袖鏡２１、それぞれの幅寸法に合わせて幅方向に区画されている。さらに各区画は必要に応じてトレイ１２が取り付けられる。
【００２１】
中央鏡２５の構造・構成及び前方移動機構を図５により説明する。図５は本発明の第二の実施例におけるミラーキャビネット１の上視図であって、中央鏡２５が前方にスライドした状態の図である。
【００２２】
中央鏡２５とフレーム体５０は連結軸５２により水平方向回動自在に軸連結され、さらにフレーム体５０はその連結軸と対辺側で連結軸５１によりキャビネット１と水平方向回動自在に軸連結されている。
この構成により中央鏡２５と枠体５０を重ねたまま枠体５０とミラーキャビネット１の枠回動軸５１を回動させると右開きに開口し、枠体５０とミラーキャビネット１の枠回動軸５１を回動せず中央鏡２５と枠体５０を軸着している鏡回動軸５２を回動させると左開きに開口させることができる。
これにより、収納空間１０の開口にあたって、両方から開くことが出来るようになり、使い勝手が向上する。
【００２３】
鏡を前方方向に移動するには中央鏡２５と枠体５０、枠体５０とミラーキャビネット１をいずれも回動させることにより中央鏡２５の鏡面は前面側へ移動することになり、それぞれの角度をもとに戻せば収納空間１０を塞ぐ納まり位置に戻る。
【００２４】
袖鏡２１はそれぞれ内側縦辺を中心に袖鏡回動軸２５でミラーキャビネットに対し水平方向回動自在に連結され、袖鏡を回動することによりそれぞれの後方にある収納空間を開閉している。また袖鏡の角度を変えて３面鏡としても使用できる。
【００２５】
中央鏡２５が収納空間１０を閉じているときは枠体５０と重なって収納空間開口を覆うようになる。
【００２６】
中央鏡２５の上部には中央鏡２５の外周を囲んでそれを保持する額縁を介して、光源をＬＥＤとする照明ユニット４０が取り付けられる。光源を発光させるための電力を供給する電源線４３は照明ユニット４０の中央鏡２５と枠体５０との軸着側にだされ、枠体５０の上辺に沿って枠体５０とミラーキャビネット１との軸着側へ延び、収納空間１０の内壁に形成された穴から収納空間後方に備え付けられた電源４２に繋げられる。
【００２７】
照明ユニットの後方には収納空間１０のある後方を照射する後方発光面４３が形成される。これにより中央鏡前方のみを照らし鏡の影になっていた後方収納空間を明るく照らすことを可能とした。
【００２８】
なお、いずれの実施例も３面鏡の中央鏡が発光体ユニットと一体となって前方に移動することを説明したが、鏡を中央に限定するものでもなく、また３面鏡である必要もない。
【符号の説明】
【００２９】
１…ミラーキャビネット
１０…収納空間
１２…トレイ
２０…中央鏡
２１…袖鏡
３０…リンク機構
３１…フレーム体
３２…回転リンク
３３…スライドリンク
４０…照明ユニット
４１…電源線
４２…電源
４３…後方発光面
５０…枠体
５１…枠回動軸
５２…鏡回動軸
【図１】
0005495185.tif 000002
【図２】
0005495185.tif 000003
【図３】
0005495185.tif 000004
【図４】
0005495185.tif 000005
【図５】
0005495185.tif 000006